(57)【要約】      （修正有）【課題】組み立ての手順を大幅に簡単化できると同時に二つのラックを使用する時の安定性が高められるラックの連結構造を提供する。【解決手段】ラック２０の連結構造は、少なくとも一つの連結部材１０を含み、連結部材には偏心にＣ型開口１１が設けられ、Ｃ型開口の内縁径に係止突起１１１が設けられる。さらにＣ型開口の両端はすべて下に向けてフック部１２、１３が延伸され、連結部材の内壁には凹円弧状の合わせ面が形成される。連結部材のＣ型開口１１の外側と異なる側には凸円弧状の外接部１５が設けられ、外接部にはさらに縦方向の貫通溝を有する合致部１６が一体成型される。連結部材は二つのラックを組み立てた後に棚板のテーパ２２３に取り付けられ、連結部材の外接部の合致部に外付け棚板３０の取り付けができるため、外付け棚板を取り付ける時にこれらの棚板を竹節支柱２１より外す必要がない。【選択図】図４
0003212288.tif 000002
【実用新案登録請求の範囲】
【請求項１】
少なくとも一つの連結部材を含み、上記連結部材は偏心にＣ型開口が設けられ、上記Ｃ型開口の内縁径に係止突起が設けられ、さらにＣ型開口の両端はすべて下に向けてフック部が延伸され、また上記連結部材の内壁に凹円弧状の合わせ面が形成され、そして上記連結部材のＣ型開口と異なる外側に凸円弧状の外接部が設けられ、上記外接部はさらに縦方向の貫通溝を有する合致部が一体成型され、また上記外接部は合わせ面との間は中空の緩衝空間が形成されることを特徴とするラックの連結構造。
【請求項２】
上記連結部材の二つのフック部はＣ型開口の中心と９０度の夾角が形成され、上記二つのフック部はそれぞれ横方向フック部と縦方向フック部が形成されることを特徴とする請求項１のラックの連結構造。
【請求項３】
少なくとも一つの外付け棚板を含み、上記外付け棚板は両側の隅に互いに対称する外向き開口の連接部が設けられ、これらの連接部はすべて底端に二つの嵌め込み溝が設けられ、また二つの嵌め込み溝の間に合致板体が形成され、上記合致板体によって外接部の合致部に嵌められることを特徴とする請求項１または２のラックの連結構造。
【考案の詳細な説明】
【技術分野】
【０００１】
本考案は連結構造に関し、特にラックの連結構造に関する。
【背景技術】
【０００２】
従来の組み立て式ラック構造は図１０、１１に示されるように、該ラック４０は少なくとも四本の支持支柱４１と複数枚の棚板４２を含み、組み立てて構成される。これらの支持支柱４１の本体には複数の位置限定スリーブが固定して設けられることで棚板４２は隅のテーパ４２１によって嵌めて固定され、物を置くための組み立て式ラック構造が構成される。
【０００３】
しかし、従来の二つ以上のラック４０は並べて使用したい時、現在は結束バンドによって簡易的に束ねて固定するしかないために連結の強度が低く、そして振動に弱くてずれやすい。もし二つのラック４０は棚板４２aによって互いに繋げる時、これらの棚板４２、４２aはさらに位置限定テーパ４２１によって支持支柱４１に嵌めて固定されるために、二つのラック４０は先に組み立てた棚板４２を外してからもう一つの棚板４２aを二つのラック４０の間の支持支柱４１に嵌められるので、時間がかかる上に手間もかかるために構造を組み立てるには不便である。また棚板４２、４２aの組み立ては該支持支柱４１の同じ位置に取り付けられないため、棚板４２、４２aの間は互い違いになるしかなく段差があり、大きい荷物を置くのに不利であって、実用性に欠ける。
【０００４】
従って、本考案者は長年にわたって関係商品の製造開発と設計に携わった経験により、上述の目標について緻密に設計した上で、かつ慎重に検討した後、実用性に満ちた本考案を得た。
【考案の概要】
【考案が解決しようとする課題】
【０００５】
本考案が解決しようとする課題は現在技術における上述の欠点を解決し、ラックの連結構造を提供する。
【課題を解決するための手段】
【０００６】
本考案のラックの連結構造は、少なくとも一つの連結部材を含み、該連結部材は偏心にＣ型開口が設けられ、該Ｃ型開口の内縁径に係止突起が設けられる。さらにＣ型開口の両端はすべて下に向けてフック部が延伸され、また該連結部材の内壁に凹円弧状の合わせ面が形成される。そして該連結部材はＣ型開口の外側と異なる側に凸円弧状の外接部が設けられ、該外接部はさらに縦方向にスライドする合致部が一体成型される。また該外接部は合わせ面との間は中空の緩衝空間が形成される。上述の構造により、ラックの連結構造が構成される。
【０００７】
該連結部材の二つのフック部はＣ型開口の中心と９０度の夾角が形成され、該二つのフック部はそれぞれ横方向フック部と縦方向フック部が形成される。
【０００８】
さらに少なくとも一つの外付け棚板を含み、該外付け棚板は両側の隅に互いに対称する外向き開口の連接部が設けられる。これらの連接部はすべて底端に二つの嵌め込み溝が設けられ、また二つの嵌め込み溝の間に合致板体が形成され、それで該合致板体によって外接部の合致部に嵌められる。
【０００９】
これらの連結部材は二つのラックが組み立てた後に棚板のテーパに取り付けられる。さらにこれらの連結部材によって外接部の合致部において外付け棚板の取り付けが提供される。それで二つのラックの間に余分の物置空間が増加されるため、外付け棚板を取り付ける時にこれらの棚板を竹節支柱より外す必要がないので、簡単かつスピーディーに二つのラックを繋げて連結でき、構造組み立ての手順を大幅に簡単にできる。また該外付け棚板はさらに該二つのラックの棚板と同じ平面に置けるため、物を置く時の利便性が増進できると同時に互いに連結することで二つのラックを使用する時の安定性が高められる。
【図面の簡単な説明】
【００１０】
【図１】図１は、本考案に係るラックの連結構造を示す立体図である。
【図２】図２は、本考案に係るラックの連結構造の別の角度を示す立体図である。
【図３】図３は、本考案を実際に組み立てて応用する分解図である。
【図４】図４は、本考案を実際に組み立てて応用する局部分解図である。
【図５】図５は、本考案の連結部材をラックに嵌める場合を示す図である。
【図６】図６は、本考案の外付け棚板は連結部材によってラックに取り付けられる場合を示す図である。
【図７】図７は、本考案を実際に組み立てて応用する立体図である。
【図８】図８は、本考案に係るラックの連結構造の組み合わせ断面図である。
【図９】図９は、本考案を別のテーパサイズに適用する組み合わせ断面図である。
【図１０】図１０は、従来技術の立体図である。
【図１１】図１１は、従来技術の前方より見た図である。
【考案を実施するための形態】
【００１１】
まず、図１、２を参照されたい。ラックの連結構造は、少なくとも一つの連結部材１０を含み、該連結部材１０は偏心にＣ型開口１１が設けられ、該Ｃ型開口１１の内縁径に係止突起１１１が設けられる。さらにＣ型開口１１の両端はすべて下に向けてフック部１２、１３が延伸され、該二つのフック部１２、１３はＣ型開口１１の中心と９０度の夾角が形成されることで該二つのフック部１２、１３はそれぞれ横方向フック部１２と縦方向フック部１３が形成される。また該連結部材１０の内壁に凹円弧状の合わせ面１４が形成される。そして該連結部材１０はＣ型開口１１の外側と異なる側に凸円弧状の外接部１５が設けられ、該外接部１５はさらに縦方向の貫通溝を有する合致部１６が一体成型される。
【００１２】
構造の実際の使用状態は引き続き図３、４を参照されたい。これらの連結部材１０は互いに対称的に二つのラック２０に取り付けられ、また少なくとも一つの外付け棚板３０と合わせて二つのラック２０を一体に繋げる。その中、該二つのラック２０はすべて四本の竹節支柱２１によって複数枚の棚板２２と合わせて組み立てられる。これらの棚板２２は四角形の棚板で互いに平行する二本の横方向フレーム２２１と二本の縦方向フレーム２２２がある。さらに四つの隅にそれぞれテーパ２２３が設けられて、四本の竹節支柱２１の間に嵌められることでこれらのラック２０の取り付けが完成される。
【００１３】
連結部材１０の取り付けは引き続き図４、５を参照されたい。これらの連結部材１０はＣ型開口１１によって該棚板２２のテーパ２２３に取り付けられ、また横方向フック部１２と縦方向フック部１３によってそれぞれ横方向フレーム２２１と縦方向フレーム２２２に跨がって設けられる。同時にＣ型開口１１の内縁径の係止突起１１１によってテーパ２２３の端縁に合わせることで複数の連結部材１０は互いに対照的に順番に二つのラック２０と隣り合わせる外側に取り付けられる。またこれらの連結部材１０の外接部１５を二つのラック２０の間に向かい合わせることで少なくとも一つの外付け棚板３０を二つのラック２０の間に取り付けられる。
【００１４】
外付け棚板３０の取り付けは引き続き図４、５、６に合わせて図７、８を参照されたい。少なくとも一つの外付け棚板３０両側の隅に互いに対称する外向き開口の連結部材３１が設けられる。またこれらの連結部３１によって連結部材１０の外接部１５と組み立てられ、これらの連結部３１はすべて底端に二つの嵌め込み溝３１１が設けられる。さらに二つの嵌め込み溝３１１の間に合致板体３１２が形成され、それでこれらの該合致板体３１２を利用して外接部１５の合致部１６に嵌められることで外付け棚板３０と二つのラック２０間の連結組立が完成される。
【００１５】
上述の具体的な実施例の構造により、以下の効果が得られる。これらの連結部材１０は二つのラック２０が組み立てた後に棚板２２のテーパ２２３に取り付けられる。さらにこれらの連結部材１０によって外接部１５の合致部１６において外付け棚板３０の取り付けが提供される。それで二つのラック２０の間に物置空間が増加されるため、外付け棚板３０を取り付ける時にこれらの棚板２２を竹節支柱２１より外す必要がないので、簡単かつスピーディーに二つのラック２０を繋げて連結でき、構造組み立ての手順を大幅に簡単にできる。また該外付け棚板３０はさらに該二つのラック２０の棚板２２と同じ平面に置けるため、物を置く時の利便性が増進できると同時に互いに連結することで二つのラック２０を使用する時の安定性が高められる。
【００１６】
さらに、該連結部材１０の合わせ面１４と外接部１５との間は中空の緩衝空間１７が形成されることについて、図８、９を参照されたい。該連結部材１０はＣ型開口１１によって棚板２２のテーパ２２３に嵌めさせる時、連結部材１０とテーパ２２３はしっかりくっついて外せなくなることが避けられるだけでなく、同時に該緩衝空間１７によって合わせ面１４において内縮変形の空間を持たせることで外径が大きめ又は長めのテーパ２２３に適応し、該連結部材１０の実用性が高められる。
【００１７】
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００１８】
１０        連結部材
１１        Ｃ型開口
１１１      係止突起
１２        横方向フック部
１３        縦方向フック部
１４        合わせ面
１５        外接部
１６        合致部
１７        緩衝空間
２０        ラック
２１        竹節支柱
２２        棚板
２２１      横方向フレーム
２２２      縦方向フレーム
２２３      テーパ
３０        外付け棚板
３１        連接部
３１１      嵌め込み溝  
３１２      合致板体
４０        棚板
４１        支持支柱
４２        棚板
４２a       棚板
４２１      テーパ
【図１】
0003212288.tif 000003
【図２】
0003212288.tif 000004
【図３】
0003212288.tif 000005
【図４】
0003212288.tif 000006
【図５】
0003212288.tif 000007
【図６】
0003212288.tif 000008
【図７】
0003212288.tif 000009
【図８】
0003212288.tif 000010
【図９】
0003212288.tif 000011
【図１０】
0003212288.tif 000012
【図１１】
0003212288.tif 000013